(57)【要約】【課題】遊技性を向上させたパチンコ機の遊技盤を提供する。【解決手段】本発明では、所定の遊技領域ＰＡが設けられたパチンコ機ＰＭの遊技盤１０において、遊技領域ＰＡにおけるセンター役物５０の上部とレール飾り１２との間に、遊技領域ＰＡの上端近傍に達した遊技球を第２大入賞装置６０の近傍に導く第１球通路７０が形成され、センター役物５０の内部に、センター役物５０の上部において第１球通路７０に開口するとともに第１球通路７０を通過する遊技球が入球可能な球入口７２および、センター役物５０の側部における第２大入賞装置６０の上方で開口する球出口７４を有し、第１球通路７０から球入口７２に入球した遊技球を通過させるとともに球出口７４から排出して第２大入賞装置６０の近傍に導く第２球通路７２が形成されている。【選択図】図３
2008061949.tif 000002
【特許請求の範囲】
【請求項１】
所定の遊技領域が設けられた弾球遊技機の遊技盤において、
前記遊技領域の中央部近傍に配設された中央飾りと、
前記遊技領域を囲むように配設されたレール飾りと、
前記中央飾りの側部に配設され、前記中央飾りの側部に設けられて遊技球が通過可能な入賞口および、前記入賞口を開閉可能な開閉部材を有する開閉型入賞装置とを備え、
前記遊技領域における前記中央飾りの上部と前記レール飾りとの間に、前記遊技領域の上端近傍に達した遊技球を前記開閉型入賞装置の近傍に導く第１球通路が形成され、
前記中央飾りの内部に、前記中央飾りの上部において前記第１球通路に開口するとともに前記第１球通路を通過する遊技球が入球可能な球入口および、前記中央飾りの側部における前記開閉型入賞装置の上方で開口する球出口を有し、前記第１球通路から前記球入口に入球した遊技球を通過させるとともに前記球出口から排出して前記開閉型入賞装置の近傍に導く第２球通路が形成されていることを特徴とする弾球遊技機の遊技盤。
【請求項２】
前記第２球通路を通過して前記球出口から排出された遊技球は、前記第１球通路を通過して前記開閉型入賞装置の近傍に導かれた遊技球よりも、開放状態にある前記入賞口を通過し易くなるように構成されることを特徴とする請求項１に記載の弾球遊技機の遊技盤。
【請求項３】
前記開閉部材が前記入賞口を揺動開閉可能な羽根状に形成され、前記開閉部材を開放すると前記開閉部材の上側で受け止められた遊技球が前記入賞口へ導かれるように構成されることを特徴とする請求項１もしくは請求項２に記載の弾球遊技機の遊技盤。
【請求項４】
前記遊技領域を転がり落ちる遊技球は、前記遊技領域の左方もしくは右方のいずれか一方から前記遊技領域内に導かれるように構成されるとともに、
前記開閉型入賞装置、前記第１球通路および前記第２球通路は、前記遊技領域における他方の側に配置され、
前記遊技領域の前記一方から前記遊技領域内に導かれて前記遊技領域の上端近傍に達した遊技球が前記他方の側に位置する前記第１球通路内に達するように構成されることを特徴とする請求項１から請求項３のうちいずれか一項に記載の弾球遊技機の遊技盤。
【発明の詳細な説明】
【技術分野】
【０００１】
本発明は、パチンコ機に代表される弾球遊技機に関する。
【背景技術】
【０００２】
弾球遊技機には、第１種パチンコ遊技機や、第２種パチンコ遊技機と称されるものがあり、従来から広く親しまれている。第１種パチンコ遊技機では、遊技盤の中央奥部に液晶パネル等を利用した図柄表示装置が設けられ、表示画面の外周に中央飾りと称される枠状の遊技部品が取り付けられている。遊技盤面には中央飾りの下側に位置して始動入賞装置と呼ばれる固定または可変の入賞口（始動入賞口）を有した入賞装置が設けられるとともに、その下側にアタッカー装置と呼ばれる大型の入賞口（大入賞口）およびこの大入賞口を開閉する開閉扉を有した開閉型入賞装置が設けられている。そして、始動入賞装置に遊技球が入賞したことにより、図柄表示装置に表示される図柄が所定時間変動表示された後停止され、この停止図柄の組み合わせが特定の図柄の組み合わせに該当する場合に大入賞口が開放されて、遊技者に有利な特別遊技状態となるように構成されている。
【０００３】
また、第２種パチンコ遊技機では、側部に形成された大入賞口を通じて遊技球が内部に入球可能な役物が遊技盤の中央部に設けられるとともに、大入賞口を開閉可能な羽根部材を備えた開閉型入賞装置が役物の側部に取り付けられている。そして、遊技盤面に設けられた始動口を遊技球が通過することで羽根部材が大入賞口を開放し、羽根部材に拾われて大入賞口を通過（入賞）した遊技球が役物内のＶゾーンと称される特別入賞口に飛び込むと、羽根部材が大入賞口を比較的長い時間開放して、遊技者に有利な特別遊技状態となるように構成されている。
【０００４】
なお、中央飾りの大型化に拘わらず、限られた遊技盤面のスペース内で設計の自由度を確保するため、中央飾りの側部に開閉型入賞装置を設けた第１種パチンコ遊技機も提案されている（例えば、特許文献１を参照）。
【特許文献１】特開２００６−１５７０９号公報
【発明の開示】
【発明が解決しようとする課題】
【０００５】
しかしながら、上述のような弾球遊技機では、中央飾りや役物の大型化により、開閉型入賞装置への遊技球の到達ルートがある程度限られてしまうため、開閉型入賞装置の周辺での遊技の展開が単調となりがちであった。
【０００６】
本発明は、このような問題に鑑みて成されたものであり、遊技性を向上させた弾球遊技機の遊技盤を提供することを目的とする。
【課題を解決するための手段】
【０００７】
このような目的達成のため、本発明では、所定の遊技領域が設けられた弾球遊技機（例えば、実施形態におけるパチンコ機ＰＭ）の遊技盤において、遊技領域の中央部近傍に配設された中央飾り（例えば、実施形態におけるセンター役物５０）と、遊技領域を囲むように配設されたレール飾りと、中央飾りの側部に配設され、中央飾りの側部に設けられて遊技球が通過可能な入賞口（例えば、実施形態における第２大入賞口６２）および、入賞口を開閉可能な開閉部材を有する開閉型入賞装置（例えば、実施形態における第２大入賞装置６０）とを備え、遊技領域における中央飾りの上部とレール飾りとの間に、遊技領域の上端近傍に達した遊技球を開閉型入賞装置の近傍に導く第１球通路が形成され、中央飾りの内部に、中央飾りの上部において第１球通路に開口するとともに第１球通路を通過する遊技球が入球可能な球入口および、中央飾りの側部における開閉型入賞装置の上方で開口する球出口を有し、第１球通路から球入口に入球した遊技球を通過させるとともに球出口から排出して開閉型入賞装置の近傍に導く第２球通路が形成されている。
【０００８】
また、上述の発明において、第２球通路を通過して球出口から排出された遊技球は、第１球通路を通過して開閉型入賞装置の近傍に導かれた遊技球よりも、開放状態にある入賞口を通過し易くなるように構成されることが好ましい。
【０００９】
さらに、上述の発明において、開閉部材が入賞口を揺動開閉可能な羽根状に形成され、開閉部材を開放すると開閉部材の上側で受け止められた遊技球が入賞口へ導かれるように構成されることが好ましい。
【００１０】
また、上述の発明において、遊技領域を転がり落ちる遊技球は、遊技領域の左方もしくは右方のいずれか一方から遊技領域内に導かれるように構成されるとともに、開閉型入賞装置、第１球通路および第２球通路は、遊技領域における他方の側に配置され、遊技領域の前記一方から遊技領域内に導かれて遊技領域の上端近傍に達した遊技球が他方の側に位置する第１球通路内に達するように構成されることが好ましい。
【発明の効果】
【００１１】
本発明によれば、遊技領域における中央飾りの上部とレール飾りとの間に、遊技領域の上端近傍に達した遊技球を開閉型入賞装置の近傍に導く第１球通路が形成されるとともに、中央飾りの内部に、第１球通路から球入口に入球した遊技球を通過させるとともに球出口から排出して開閉型入賞装置の近傍に導く第２球通路が形成されるため、開閉型入賞装置への遊技球の到達ルートに明確な変化を持たせることが可能になり、遊技性を向上させることができる。
【００１２】
また、第２球通路を通過して球出口から排出された遊技球は、第１球通路を通過して開閉型入賞装置の近傍に導かれた遊技球よりも、開放状態にある入賞口を通過し易くなるように構成されることで、どの球通路を通過するかによって入賞口を通過する難易度が異なることから、遊技性をより向上させることができる。
【００１３】
さらに、開閉部材が入賞口を揺動開閉可能な羽根状に形成され、開閉部材を開放すると開閉部材の上側で受け止められた遊技球が入賞口へ導かれるように構成されることで、開閉部材が開放されたときに遊技球が入賞口を通過する期待感を高めることが可能になり、遊技性をより向上させることができる。
【００１４】
また、遊技領域の一方から遊技領域内に導かれて遊技領域の上端近傍に達した遊技球が他方の側に位置する第１球通路内に達するように構成されることで、例えば、遊技球が遊技領域の左方から遊技領域内に導かれる場合、遊技球が遊技領域の左側から上端近傍に達すると遊技領域の右側に位置する第１球通路内に達することから、いわゆる右打ちを行う際の遊技性を向上させることができる。
【発明を実施するための最良の形態】
【００１５】
以下、本発明の好ましい実施形態について図面を参照しながら説明する。本発明に係る遊技盤を備えた弾球遊技機の代表例としてパチンコ機ＰＭを図１および図２に示しており、まず、これらの図面を参照しながらパチンコ機ＰＭの全体構成について要約説明する。ここで、図１はパチンコ機ＰＭの正面図、図２はパチンコ機ＰＭの背面図である。
【００１６】
パチンコ機ＰＭは、図１に示すように、外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ機構３ａ，３ｂで横開き開閉および着脱が可能に取り付けられ、正面右側に設けられたダブル錠と称される施錠装置４を利用して常には外枠１と係合された閉鎖状態に保持される。
【００１７】
前枠２の前面側には、前枠２の前面域に合わせた方形状のガラス扉５および球皿６が正面左側に設けられたヒンジ機構７ａ，７ｂ，７ｃを利用して横開き開閉および着脱可能に組付けられ、正面右側の施錠装置４および球皿施錠装置（図示せず）により前枠２の前面を覆う閉鎖状態に保持される。球皿６の右側下部には遊技球の発射操作を行う操作ハンドル８が取り付けられている。ガラス扉５の背後に位置する前枠２の上部には、方形枠状の収容枠（図示せず）が前枠２と一体に設けられており、この収容枠に遊技盤１０が着脱可能にセット保持されてガラス扉５を通して視認可能となっている。なお、図１において、遊技盤１０前面の詳細な記載を省略している。
【００１８】
図２に示すように、前枠２の背面側には、中央に前後連通する窓口を有して前枠２よりもやや小型の方形枠状に形成された裏セット盤３０が、前枠２の背面側に設けられた複数のレバーＬ，Ｌ…を利用して着脱可能にセット保持される。裏セット盤３０の各部には、遊技球を貯留する球貯留タンク３１、球貯留タンク３１から供給された遊技球を流下させる過程で前後２列に整列させるタンクレール３２、所定数量の遊技球を整列状態で待機させる待機通路３３、遊技盤１０における入賞状態等に基づいて遊技球を払い出す球払出装置３４、球払出装置３４から払い出された遊技球を球皿６に導く球払出通路３５などの賞球装置が装備されるとともに、電源基盤９１や主基板９２などの各種回路基盤および電子部品等が取り付けられ、これらの各機器および遊技盤１０の裏面に取り付けられた画像制御基板９５が図示省略するワイヤーハーネスで接続されている。
【００１９】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が球皿６の背面側に配設される遊技球発射装置により１球ずつ遊技盤１０の遊技領域ＰＡに打ち出され、以降パチンコゲームが展開される。
【００２０】
次に、遊技盤１０について図３〜図４を追加参照しながら説明する。ここで、図３は遊技盤１０の正面図、図４は遊技盤１０の右上部を示す拡大正面図である。
【００２１】
遊技盤１０は、図３に示すように、ルータ加工等を施した矩形状の積層合板に、所定の図柄が印刷されたセルを貼り付けて成型される化粧板１１を基体として構成される。化粧板１１の前面には、上下２分割のレール飾り１２，１３がビス止めされ、内側に略円形の遊技領域ＰＡが区画形成される。すなわち、レール飾り１２，１３は遊技領域ＰＡを囲むように配設されることになる。
【００２２】
遊技盤１０の遊技領域ＰＡには、図示しない遊技釘が多数配設され、遊技領域ＰＡの中央部近傍には、特別図柄表示装置２８や演出図柄表示装置２９が取り付けられたセンター役物５０が配設される。遊技領域ＰＡの中央下部（センター役物５０の下方）には第１の始動入賞装置２１ａが設けられ、遊技球が第１の始動入賞装置２１ａに入球すると、始動入賞装置２１ａ内に設けられた入賞検出センサ（図示せず）に検出されて遊技盤１０の裏面側へ排出されるようになっている。さらに、第１の始動入賞装置２１ａの下方には、第１大入賞口１８を開閉可能な第１大入賞装置１７が設けられる。第１大入賞装置１７は、特別遊技中に第１大入賞口１８を開放し、遊技球を第１大入賞口１８に対し通過容易にする。第１大入賞口１８は、遊技領域ＰＡの中央下部に設けられた横長方形状の入賞口であり、第１大入賞口１８が閉鎖状態にあるときには、遊技球は第１大入賞口１８を通過することができず、第１大入賞口１８が開放状態になったときに、遊技球が第１大入賞口１８を通過することができる。遊技球が第１大入賞口１８を通過すると、第１大入賞装置１７内に設けられた入賞検出センサ（図示せず）に検出されて遊技盤１０の裏面側へ排出されるようになっている。
【００２３】
遊技領域ＰＡの右下部（センター役物５０の右下方）には普通電動役物１５が設けられ、遊技球が普通電動役物１５に入球すると、普通電動役物１５内に設けられた入賞検出センサ（図示せず）に検出されて遊技盤１０の裏面側へ排出されるようになっている。普通電動役物１５は、閉鎖部材１６の下方に隣接して設けられた開閉型入賞装置であり、普通電動役物１５が閉鎖状態にあるときには、入口部分が閉鎖部材１６に塞がれて遊技球は普通電動役物１５に入球できず、普通電動役物１５が開放状態にあるときに、遊技球が普通電動役物１５に入球できるようになっている。
【００２４】
遊技領域ＰＡの右側（センター役物５０の右方）には、遊技球が通過可能な普通図柄作動ゲート１９が設けられ、この普通図柄作動ゲート１９での遊技球の通過を契機として行われる抽選の結果に基づいて普通図柄を変動表示する普通図柄表示装置２０が、第１大入賞装置１７の左側に設けられている。さらに、普通図柄作動ゲート１９の下方には第２の始動入賞装置２１ｂが設けられ、遊技球が第２の始動入賞装置２１ｂに入球すると、始動入賞装置２１ｂ内に設けられた入賞検出センサ（図示せず）に検出されて遊技盤１０の裏面側へ排出されるようになっている。
【００２５】
遊技領域ＰＡの左下部（センター役物５０の左下方）には、普通入賞装置２５が複数設けられ、遊技球が普通入賞装置２５に入球すると、普通入賞装置２５内に設けられた入賞検出センサ（図示せず）に検出されて遊技盤１０の裏面側へ排出されるようになっている。また、遊技領域ＰＡの下端には、各入賞装置に入賞せずに落下した遊技球を遊技盤１０の裏面側へ排出させるアウト口２２が設けられている。なお、遊技盤１０の背面側には、各入賞装置に入賞した遊技球を案内する経路を備えた球寄せカバー２３（図２を参照）が取り付けられている。
【００２６】
センター役物５０は、樹脂材料を用いて射出成形等により一体的に形成された種々の構成部品からなり、遊技盤１０の中央前面側に取り付けられる。センター役物５０の中央部には、前後に開口した直方体形の内部空間５１が形成されており、この内部空間５１に遊技球が入球可能に構成されている。センター役物５０の後部には、内部空間５１の後方を塞ぐように図示しない透明板を介して演出図柄表示装置２９が取り付けられており、演出図柄表示装置２９の表示面が内部空間５１（および、ガラス扉５等）を通じて外部から視認可能に構成されている。また、センター役物５０の上部前面側には、特別図柄表示装置２８が取り付けられている。なお、図３において、特別図柄表示装置２８および演出図柄表示装置２９の記載を省略している。
【００２７】
特別図柄表示装置２８は、発光ダイオード等から構成され、主基板９２等による所定の抽選ソフトウェアを利用した抽選の結果に基づいて特別図柄（図示せず）を変動表示する。演出図柄表示装置２９は、液晶ディスプレイ等から構成され、特別図柄表示装置２８と連動して装飾図柄（図示せず）を変動表示する。特別図柄は、始動入賞装置２１ａ，２１ｂへの遊技球の入賞を契機として行われる抽選の結果に基づいて表示される図柄であり、大当たりを発生させるか否かを示す役割を持つ。また、装飾図柄は、特別図柄で示される抽選の結果表示を視覚的に演出するための図柄であり、例えば、スロットマシンの図柄表示を模した複数列の変動図柄として演出図柄表示装置２９の表示面に表示される。
【００２８】
なお、本実施形態における特別図柄（図示せず）は、演出的な役割を持たず、特別図柄表示装置２８により演出図柄と比較して目立たない大きさで表示されるが、これに限られるものではなく、演出図柄を用いずに特別図柄に演出的な役割を持たせ、この特別図柄を演出図柄表示装置２９のような表示装置に表示させるようにしてもよい。また、演出図柄表示装置２９は、液晶ディスプレイに限らず、回転式ドラムや発光ダイオード等を用いた表示手段を有して構成されてもよい。
【００２９】
センター役物５０の右側部には、第２大入賞装置６０が設けられる。第２大入賞装置６０は、図３および図４に示すように、センター役物５０の右側部に取り付けられた入賞装置本体６１と、入賞装置本体６１に形成される第２大入賞口６２を開閉可能な開閉部材６５とを主体に構成される。入賞装置本体６１の側部には、センター役物５０の右側部に位置して、矩形の第２大入賞口６２が形成されており、この第２大入賞口６２を通過した遊技球は入賞装置本体６１の内部を落下するようになっている。入賞装置本体６１の内部には、第２大入賞口６２を通過して入賞装置本体６１の内部に達した遊技球を検出する入賞検出センサ６３（図３を参照）が設けられている。
【００３０】
なお、第２大入賞口６２から入賞装置本体６１の内部を通過した遊技球は、センター役物５０の内部に形成された導入通路（図示せず）を通過するようになっている。この導入通路は、入賞装置本体６１の内部と内部空間５１とに繋がるように形成されており、導入通路に達した遊技球は、導入通路を転がり移動して内部空間５１に入球するようになっている。
【００３１】
開閉部材６５は、樹脂材料を用いて羽根状に形成され、入賞装置本体６１に対し第２大入賞口６２を揺動開閉可能に取り付けられる。なおこのとき、開閉部材６５はセンター役物５０の右側部に位置することになる。そして、第２大入賞口６２が開放状態となるときには、羽根状の開閉部材６５が第２大入賞口６２の側方（右方）へ（横方向に）揺動し、開閉部材６５の上側に達した遊技球を受け止めて第２大入賞口６２へ導くようになっている。これにより、第２大入賞口６２が開放状態となるときには、開閉部材６５により遊技球が第２大入賞口６２に対し通過容易となる。一方、第２大入賞口６２が閉鎖状態となるときには、開閉部材６５が第２大入賞口６２を塞ぐように縦方向に揺動し、遊技球は第２大入賞口６２を通過することができない。
【００３２】
センター役物５０の内部空間５１には、特別入賞口５２（Ｖゾーンとも称される）を有した特別入賞装置５３と、内部空間５１に入球した遊技球を内部空間５１の底部に形成される球排出口（図示せず）もしくは特別入賞口５２のいずれか一方に導く振り分け部材５５とが設けられる。なお、球排出口は内部空間５１の底部に上方を向いて形成され、振り分け部材５５から落下して球排出口を通過した遊技球は、センター役物５０の内部に形成された球排出通路（図示せず）を転がり移動して遊技盤１０の裏面側に排出されるようになっている。
【００３３】
特別入賞装置５３は、内部空間５１の底部中央に配設され、振り分け部材５５から落下した遊技球が特別入賞口５２を通過すると、特別入賞装置５３内に設けられたＶ入賞センサ（図示せず）に検出されて遊技盤１０の裏面側へ排出されるようになっている。振り分け部材５５は左右に延びる板状に形成され、右端が前述の導入通路（図示せず）に繋がっている。振り分け部材５５の上面は、左前方に向けて緩やかに（下方に）傾斜しており、導入通路を転がり移動して内部空間５１に入球した遊技球を、振り分け部材５５の左方に位置する特別入賞口５２へ導くか、もしくは、振り分け部材５５の中央部近傍から前方に傾斜して延びる傾斜部５６より球排出口へ導くようになっている。
【００３４】
ところで、遊技領域ＰＡにおけるセンター役物５０の右上部とレール飾り１２（右上部）との間に、遊技領域ＰＡの上端近傍に達した遊技球を第２大入賞装置６０の近傍に導く第１球通路７０が形成されている。第１球通路７０は、センター役物５０の右上周部に形成された曲面状の右上面部５８と、レール飾り１２の右上部下面側に形成された曲面状のレール面１２ａとの間に挟まれて円弧状に形成され、遊技領域ＰＡの上端近傍から第１球通路７０内に達した遊技球は、第１球通路７０を転がり落ちて遊技領域ＰＡにおける第２大入賞装置６０の上方に導かれるようになっている。
【００３５】
また、センター役物５０の内部に、センター役物５０の右上部において第１球通路７０に開口する球入口７２および、センター役物５０の右側部における第２大入賞装置６０の上方で開口する球出口７４を有する第２球通路７１が形成されている。第２球通路７１は、センター役物５０の右上部の内部に断面視Ｌ字形に形成され、第１球通路７０から球入口７２に入球した遊技球を通過させるとともに球出口７４から排出して第２大入賞装置６０の近傍に導くようになっている。
【００３６】
球入口７２は、センター役物５０の右上面部５８において第１球通路７０に（上方に）開口するように形成され、第１球通路７０を通過する遊技球が入球可能に構成される。なお、球入口７２の右端部には遊技釘７３が配設され、第１球通路７０を転がって遊技釘７３に当接した遊技球が第１球通路７０もしくは第２球通路７１へ向けてある程度滑らかに転がるようになっている。また、遊技釘７３の向きを変えることによって、遊技釘７３に当接した遊技球を第１球通路７０の方へ転がり易くしたり、第２球通路７１の方へ転がり易くしたりすることが可能であり、遊技釘７３は各球通路への転がり易さを決める調整部材としての役割も有している。球出口７４は、センター役物５０の右側部に形成された略鉛直面状の右側面部５９において右方に開口するように形成され、第２球通路７１の下流端まで転がり落ちた遊技球がこの球出口７４を通過して遊技領域ＰＡへ排出されるようになっている。
【００３７】
なお、右側面部５９の上端は右上面部５８の下端と繋がり、右側面部５９の下側近傍には第２大入賞装置６０が配設されるようになっている。また、第２球通路７１の底部は右方に向けて緩やかに（下方に）傾斜しており、第２球通路７１を通過して球出口７４から排出された遊技球は、右側面部５９に沿うような形でほぼ確実に第２大入賞装置６０へ転がり落ちるようになっている。これにより、第２球通路７１を通過して球出口７４から排出された遊技球の方が、第１球通路７０を通過して第２大入賞装置６０の近傍に導かれた遊技球よりも、開放状態のときの第２大入賞口６２を通過し易くなっている。
【００３８】
以上のように構成されるパチンコ機ＰＭの遊技盤１０において、打球発射装置（図示せず）により打ち出された遊技球は、遊技盤１０における遊技領域ＰＡの左方に形成された発射通路１４を通過して遊技領域ＰＡ内（遊技領域ＰＡの上部）に導かれ、遊技球が遊技領域ＰＡを転がり落ちることによりパチンコゲームが展開される。
【００３９】
遊技球が遊技領域ＰＡの左側を転がり落ちるときには、通常、第１の始動入賞装置２１ａあるいは普通入賞装置２５のいずれかに入球するか、もしくは、第１の始動入賞装置２１ａや普通入賞装置２５に入球することなくアウト口２２を通過する。これに対し、遊技球が遊技領域ＰＡの右側を転がり落ちるときには、遊技領域ＰＡの上端近傍から第１球通路７０もしくは第２球通路７１を通過することになる。第１球通路７０に達した遊技球は、打球発射装置により強く打ち出されている場合、ほぼレール飾り１２のレール面１２ａに沿って第１球通路７０を通過し、遊技領域ＰＡの右側における第２大入賞装置６０の上方近傍に導かれ、遊技領域ＰＡの右側を転がり落ちる。一方、打球発射装置により比較的弱めに打ち出されている場合、第１球通路７０に達した遊技球は、球入口７２に入り込んで第２球通路７１通過し、球出口７４から排出されて遊技領域ＰＡの右側を転がり落ちる。
【００４０】
このように、第１球通路７０もしくは第２球通路７１を通過することにより遊技球が遊技領域ＰＡの右側を転がり落ちて、第２の始動入賞装置２１ｂに入球すると、所定の抽選ソフトウェアを利用した特別図柄抽選が行われ、特別図柄表示装置２８および演出図柄表示装置２９において特別図柄および装飾図柄が所定時間だけ変動表示される。また、遊技球が遊技領域ＰＡの左側もしくは右側を転がり落ちて第１の始動入賞装置２１ａに入球すると、第２の始動入賞装置２１ｂの場合と同様に、所定の抽選ソフトウェアを利用した特別図柄抽選が行われ、特別図柄表示装置２８および演出図柄表示装置２９において特別図柄および装飾図柄が所定時間だけ変動表示される。変動停止時の特別図柄が大当たりを示す図柄である場合、第１の特別遊技に移行する。特別図柄が大当たりの図柄で停止するとき、演出図柄表示装置２９の表示面には、例えば、スロットマシンの図柄表示を模した装飾図柄が３つの図柄を一致させるような表示態様を有して表示される。
【００４１】
第１の特別遊技においては、第１大入賞装置１７の作動により第１大入賞口１８が開放される。そして、例えば、第１大入賞口１８が約３０秒間開放された後、または９球以上の遊技球が第１大入賞口１８を通過して第１大入賞装置１７に入球した後、第１大入賞口１８が一旦閉鎖され、このような開閉動作が所定回数継続して繰り返される。
【００４２】
また、遊技球が遊技領域ＰＡの右側を転がり落ちて、普通図柄作動ゲート１９を通過すると、所定の抽選ソフトウェアを利用した普通図柄抽選が行われ、普通図柄表示装置２０において普通図柄が所定時間だけ変動表示される。なお、普通図柄は、例えば、演出図柄表示装置２９における表示面の隅の方に（装飾図柄とは別に）変動表示させてもよく、他の表示装置において変動表示させるようにしてもよい。そして、変動停止時の普通図柄が所定の図柄（当たりを示す図柄）である場合、普通電動役物１５が所定時間だけ開放される。
【００４３】
開放された普通電動役物１５に遊技球が入球すると、第２大入賞装置６０の開閉部材６５が開放され、第２大入賞口６２が所定時間だけ開放状態となる。なおこのとき、前述したように、第２球通路７１を通過して球出口７４から排出された遊技球の方が、第１球通路７０を通過して第２大入賞装置６０の近傍に導かれた遊技球よりも、開放状態のときの第２大入賞口６２を通過し易くなっている。遊技球が第２大入賞口６２を通過して第２大入賞装置６０に入球すると、入賞装置本体６１内を落下した後、センター役物５０内の導入通路（図示せず）を通過して内部空間５１の振り分け部材５５に達する。
【００４４】
振り分け部材５５により遊技球が球排出口（図示せず）に導かれると、球排出口からセンター役物５０内部の球排出通路（図示せず）を転がり移動して遊技盤１０の裏面側に排出される。一方、振り分け部材５５により遊技球が特別入賞口５２に導かれると、特別入賞口５２を通過して特別入賞装置５３に入球する。遊技球が特別入賞口５２を通過すると、第２の特別遊技に移行し、第１の特別遊技と同様に、第１大入賞装置１７の作動による第１大入賞口１８の開閉動作が所定回数継続して繰り返される。なおこのとき、第１大入賞装置１７に限らず、第２大入賞装置６０に開閉部材６５の所定の開閉動作を行わせるようにしてもよい。
【００４５】
以上に説明した本発明の実施形態において、達成される主要な効果を整理すれば、下記のようになる。
【００４６】
第１に、遊技領域ＰＡにおけるセンター役物５０の上部とレール飾り１２との間に、遊技領域ＰＡの上端近傍に達した遊技球を第２大入賞装置６０の近傍に導く第１球通路７０が形成されるとともに、センター役物５０の内部に、第１球通路７０から球入口７２に入球した遊技球を通過させるとともに球出口７４から排出して第２大入賞装置６０の近傍に導く第２球通路７１が形成されるため、第２大入賞装置６０への遊技球の到達ルートに明確な変化を持たせることが可能になり、遊技性を向上させることができる。
【００４７】
第２に、第２球通路７１を通過して球出口７４から排出された遊技球は、第１球通路７０を通過して第２大入賞装置６０の近傍に導かれた遊技球よりも、開放状態にある第２大入賞口６２を通過し易くなるように構成されることで、どの球通路を通過するかによって第２大入賞口６２を通過する難易度が異なることから、遊技性をより向上させることができる。
【００４８】
第３に、開閉部材６５が第２大入賞口６２を揺動開閉可能な羽根状に形成され、開閉部材６５を開放すると開閉部材６５の上側で受け止められた遊技球が第２大入賞口６２へ導かれるように構成されることで、開閉部材６５が開放されたときに遊技球が第２大入賞口６２を通過する期待感を高めることが可能になり、遊技性をより向上させることができる。
【００４９】
第４に、遊技領域ＰＡの左方から遊技領域ＰＡ内に導かれて遊技領域ＰＡの上端近傍に達した遊技球が遊技領域ＰＡの右側に位置する第１球通路７０内に達するように構成されることで、いわゆる右打ちを行う際の遊技性を向上させることができる。なお、従来のパチンコ機では、液晶表示装置（演出図柄表示装置）の大型化により、その分だけセンター役物（センター飾り）が大きくなって、遊技領域の右側のスペースが遊技球１球分の幅となる場合も多く、遊技領域の右側部分で遊技性に乏しい面があった。これに対し、本実施形態のように、第２大入賞装置６０、第１球通路７０および第２球通路７１を、遊技領域ＰＡにおける右側に配置することで、遊技領域ＰＡの右側のスペースが狭いにも拘わらず、遊技領域ＰＡの右側部分での遊技性を向上させることが可能になる。
【００５０】
なお、上述の実施形態において、第２球通路７１が形成されない場合、大入賞口の入口の大きさは第１球通路７０の下端と（開放時の）開閉部材６５の先端との間の距離Ａ（図４を参照）とされるため、大入賞口の入口の大きさがこの大きさでほぼ決まってしまう。これに対し、本実施形態においては、センター役物５０の内部に第２球通路７１が形成されており、大入賞口の入口の大きさは球出口７４の下端と（開放時の）開閉部材６５の先端との間の距離Ｂ（図４を参照）とされるため、球出口７４の位置を適宜変更することにより、大入賞口の入口の大きさに関し設計の自由度を広げることができる。
【００５１】
また、上述の実施形態において、いわゆる第１種および第２種パチンコ遊技機を組み合わせた構成を用いて説明しているが、これに限られるものではなく、例えば、第２種パチンコ遊技機のみの構成であってもよい。
【００５２】
さらに、上述の実施形態において、普通電動役物１５に遊技球が入球すると、第２大入賞装置６０の開閉部材６５が開放されて第２大入賞口６２が所定時間だけ開放状態となるように構成されているが、これに限られるものではなく、例えば、遊技球の入賞に関係なく所定時間毎に、開閉部材６５（第２大入賞口６２）を開閉させるようにしてもよい。
【００５３】
また、上述の実施形態において、センター役物５０の右側部に第２大入賞装置６０が設けられているが、これに限られるものではなく、センター役物５０の左側部に設けられてもよい。なおこのとき、センター役物の左上部とレール飾り（左上部）との間に第１球通路が形成され、センター役物の左上部の内側に第２球通路が形成されることになる。またこのとき、遊技球を遊技領域ＰＡの右方から遊技領域ＰＡ内に導くようにしてもよい。
【００５４】
さらに、上述の実施形態において、開閉部材６５が第２大入賞口６２を揺動開閉可能な羽根状に形成されているが、これに限られるものではない。例えば、シャッター部材を用いて第２大入賞口６２を開閉させるようにしてもよく、また例えば、遊技領域ＰＡにおける第２大入賞口６２の近傍に出没可能なピン部材（もしくは、釘部材）を配置し、このピン部材を遊技盤１０上に突出させることで第２大入賞口６２に対する遊技球の通過を規制（および、ピン部材を遊技盤１０側に没入させることで遊技球の通過を許可）するようにしてもよく、第２大入賞口６２を開閉可能な開閉部材を用いるようにすればよい。
【００５５】
また、上述の実施形態において、第２球通路７１を通過して球出口７４から排出された遊技球は、第１球通路７０を通過して第２大入賞装置６０の近傍に導かれた遊技球よりも、開放状態にある第２大入賞口６２を通過し易くなるように構成されているが、これに限られるものではなく、第１球通路７０を通過する遊技球の方が開放状態にある第２大入賞口６２を通過し易くなるように構成されていてもよい。さらには、どちらの球通路を通過しても第２大入賞口６２を通過する難易度が同じであってもよい。
【００５６】
さらに、上述の実施形態において、内部空間５１に振り分け部材５５等が設けられたセンター役物５０が遊技領域ＰＡの中央近傍に配設されているが、これに限られるものではなく、例えば、第１種パチンコ遊技機で用いられるようなセンター飾りが遊技領域ＰＡの中央近傍に配設されてもよい。
【図面の簡単な説明】
【００５７】
【図１】パチンコ機の正面図である。
【図２】パチンコ機の背面図である。
【図３】遊技盤の正面図である。
【図４】遊技盤の右上部を示す拡大正面図である。
【符号の説明】
【００５８】
ＰＭ  パチンコ機（弾球遊技機）
ＰＡ  遊技領域
１０  遊技盤
１２  レール飾り（１２ａ  レール面）
１３  レール飾り
５０  センター役物（中央飾り）
６０  第２大入賞装置（開閉型入賞装置）
６２  第２大入賞口（大入賞口）
６５  開閉部材
７０  第１球通路
７１  第２球通路
７２  球入口
７４  球出口
【図１】
2008061949.tif 000003
【図２】
2008061949.tif 000004
【図３】
2008061949.tif 000005
【図４】
2008061949.tif 000006